(57)【要約】【課題】扉厚の偏芯した扉に扉錠を埋設した場合であっても、当該扉錠が振れることなく、安定的に収納され続けることを可能にする。【解決手段】複数の振れ止め用プレート１０からなる振れ止め部材６の一端を奥に押し進め、当該振れ止め部材６の開き具合をコントロールする振れ止めホルダー１３の進退動作を、振れ止めネジ５を回すことによって行う。【選択図】図８
2006063781.tif 000002
【特許請求の範囲】
【請求項１】
複数の振れ止め用プレートからなる振れ止め部材と、当該振れ止め部材の一端を押し進め、当該振れ止め部材の開き具合をコントロールする振れ止めホルダーと、当該振れ止めホルダーの進退を調整する振れ止めネジと、からなる扉錠の振れ止め装置
【請求項２】
長さの等しい２つの振れ止め用プレートからなる振れ止め部材と、当該振れ止め部材の一端を押し進め、振れ止め部材の開き具合をコントロールする振れ止めホルダーと、当該振れ止めホルダーの進退を調整する振れ止めネジと、からなる扉錠の振れ止め装置
【請求項３】
長さの等しい２つの振れ止め用プレートを扉錠のある一点で回動可能に軸止めした振れ止め部材と、当該振れ止め部材の一端を押し進め、振れ止め部材の開き具合をコントロールするコの字型の振れ止めホルダーと、当該振れ止めホルダーの進退を調整する振れ止めネジと、からなる扉錠の振れ止め装置
【請求項４】
長さの等しい２つの振れ止め用プレートを扉錠のある一点で回動可能に軸止めした振れ止め部材と、当該振れ止め部材の一端を押し進め、振れ止め部材の開き具合をコントロールするコの字型の振れ止めホルダーと、当該振れ止めホルダーの進退を調整する振れ止めネジと、からなる扉錠の振れ止め装置であって、振れ止めネジを扉錠内で回動可能に一箇所で軸止めできるようにするため、振れ止めネジに二つのフランジ部を設けたことを特徴とする扉錠の振れ止め装置。
【請求項５】
長さの等しい４つの振れ止め用プレートを用いて菱形を形成できるように連結した環状の振れ止め部材と、当該振れ止め部材の一端を押し進め、振れ止め部材が形成する菱形の開き具合をコントロールする振れ止めホルダーと、当該振れ止めホルダーの進退を調整する振れ止めネジと、からなる扉錠の振れ止め装置
【請求項６】
長さの等しい４つの振れ止め用プレートを用いて菱形を形成できるように連結した環状の振れ止め部材と、当該振れ止め部材の一端を押し進め、振れ止め部材が形成する菱形の開き具合をコントロールできるようにするため、当該一端を受け止めるための平坦面を有する振れ止めホルダーと、当該振れ止めホルダーの進退を調整する振れ止めネジと、からなる扉錠の振れ止め装置
【請求項７】
長さの等しい４つの振れ止め用プレートを用いて菱形を形成できるように連結した環状の部材であって、その一端が扉錠内のある一点で回動可能に軸止めされている振れ止め部材と、当該振れ止め部材の一端を押し進め、振れ止め部材が形成する菱形の開き具合をコントロールできるようにするため、当該一端を受け止めるための平坦面を有する振れ止めホルダーと、当該振れ止めホルダーの進退を調整する振れ止めネジと、からなる扉錠の振れ止め装置
【請求項８】
長さの等しい４つの振れ止め用プレートを用いて菱形を形成できるように連結した環状の部材であって、その一端が扉錠内のある一点で回動可能に軸止めされている振れ止め部材と、当該振れ止め部材の一端を押し進め、振れ止め部材が形成する菱形の開き具合をコントロールできるようにするため、当該一端を受け止めるための平坦面を有する振れ止めホルダーと、当該振れ止めホルダーの進退を調整する振れ止めネジと、からなる扉錠の振れ止め装置であって、振れ止めネジを扉錠内で回動可能に一箇所で軸止めできるようにするため、振れ止めネジに二つのフランジ部を設けたことを特徴とする扉錠の振れ止め装置。
【発明の詳細な説明】
【技術分野】
【０００１】  本発明は、扉厚の偏芯した扉に扉錠を埋設した場合であっても、当該扉錠が左右に振れることなく安定的に設置されることを可能にする扉錠の振れ止め装置に関する。
【背景技術】
【０００２】  住宅やマンション等の玄関扉や事務所の出入口用扉には箱状の扉錠１が埋設される。この扉錠１は、錠箱４のフロント面２から進退する錠杆３を扉枠１２に係合・係合解除させ、扉７を施解錠する（図示しない）施解錠機構を内蔵し、扉７の室外側に取り付けられるシリンダーと、扉の室内側に取り付けられる（図示しない）サムターンに連結され、室外側からは（図示しない）シリンダーの鍵穴に鍵を挿入して鍵を回転させることにより、室内側からはサムターンを回転させることにより施解錠動作される。【０００３】  ところで、扉錠１が扉７に埋設されるといっても、扉厚は一定しておらず、扉厚の小さいものから大きいものまで様々である。
そのため、扉錠１を扉７に埋設した場合に、ぴったりフィットすることもあれば、多くの隙間を残したままの場合もある。
もっとも、扉錠１は、扉７にしっかりビス止め等されるから、原則として、扉錠１が左右に振れるといった問題は生じない。
【特許文献１】特開平１０−１１０５６６
【発明の開示】
【発明が解決しようとする課題】
【０００４】  しかし、施錠されて扉７を無理矢理開けようとしたり、あるいは錠杆３を突出させたまま閉扉したりしたような場合に、受部１６の角から受ける力に屈して、扉錠１が左右に振れてしまうことがある（図３参照）。
扉錠１の錠杆３は、通常、フロント面２に対して垂直に出没するのであるが、上述のように扉錠１が左右に振れてしまったのでは、図３に示すように、錠杆３も垂直に突出しないので受部１６にうまく填らない。【０００５】  本発明は上記事情に鑑みてなされたもので、扉７を乱暴に扱っても扉錠１が扉７の内部で左右に振れることないようにすることを目的とする。【０００６】  なお、特許文献１として特開平１０−１１０５６６を一応挙げているが、この文献に記載された振れ止め金具は、扉錠自体が振れないようにすることを目的としたものではなく、特許文献１に登場する扉錠の一部品たる振り子部材が振れないようにしたものであり、目的も構造も全く異なる。
よって、本願発明のベースとなるような公知文献、公知技術は実質的に存在せず、本願発明は、まさに基本発明というに相応しいものといえる。
【課題を解決するための手段】
【０００７】  上記目的を達成するため、請求項１に記載された発明は、複数の振れ止め用プレートからなる振れ止め部材と、当該振れ止め部材の一端を押し進め、当該振れ止め部材の開き具合をコントロールする振れ止めホルダーと、当該振れ止めホルダーの進退を調整する振れ止めネジと、からなる扉錠の振れ止め装置であることを特徴とする。【０００８】  また、請求項２に記載された発明は、長さの等しい２つの振れ止め用プレートからなる振れ止め部材と、当該振れ止め部材の一端を押し進め、振れ止め部材の開き具合をコントロールする振れ止めホルダーと、当該振れ止めホルダーの進退を調整する振れ止めネジと、からなる扉錠の振れ止め装置であることを特徴とする。【０００９】  また、請求項３に記載された発明は、長さの等しい２つの振れ止め用プレートを一点で回動可能に軸止めした振れ止め部材と、当該振れ止め部材の一端を押し進め、振れ止め部材の開き具合をコントロールするコの字型の振れ止めホルダーと、当該振れ止めホルダーの進退を調整する振れ止めネジと、からなる扉錠の振れ止め装置であることを特徴とする。【００１０】  また、請求項４に記載された発明は、長さの等しい２つの振れ止め用プレートを扉錠のある一点で回動可能に軸止めした振れ止め部材と、当該振れ止め部材の一端を押し進め、振れ止め部材の開き具合をコントロールするコの字型の振れ止めホルダーと、当該振れ止めホルダーの進退を調整する振れ止めネジと、からなる扉錠の振れ止め装置であって、振れ止めネジを扉錠内で回動可能に一箇所で軸止めできるようにするため、振れ止めネジに二つのフランジ部を設けたことを特徴とする。【００１１】  さらに、請求項５に記載された発明は、長さの等しい４つの振れ止め用プレートを用いて菱形を形成できるように連結した環状の振れ止め部材と、当該振れ止め部材の一端を押し進め、振れ止め部材が形成する菱形の開き具合をコントロールする振れ止めホルダーと、当該振れ止めホルダーの進退を制御する振れ止めネジと、からなる扉錠の振れ止め装置であることを特徴とする。【００１２】  さらに、請求項６に記載された発明は、長さの等しい４つの振れ止め用プレートを用いて菱形を形成できるように連結した環状の振れ止め部材と、当該振れ止め部材の一端を押し進め、振れ止め部材が形成する菱形の開き具合をコントロールできるようにするため、当該一端を受け止めるための平坦面を有する振れ止めホルダーと、当該振れ止めホルダーの進退を調整する振れ止めネジと、からなる扉錠の振れ止め装置であることを特徴とする。【００１３】  さらに、請求項７に記載された発明は、長さの等しい４つの振れ止め用プレートを用いて菱形を形成できるように連結した環状の部材であって、その一端が扉錠内のある一点で回動可能に軸止めされている振れ止め部材と、当該振れ止め部材の一端を押し進め、振れ止め部材が形成する菱形の開き具合をコントロールできるようにするため、当該一端を受け止めるための平坦面を有する振れ止めホルダーと、当該振れ止めホルダーの進退を調整する振れ止めネジと、からなる扉錠の振れ止め装置であることを特徴とする。【００１４】  最後に、請求項８に記載された発明は、長さの等しい４つの振れ止め��プレートを用いて菱形を形成できるように連結した環状の部材であって、その一端が扉錠内のある一点で回動可能に軸止めされている振れ止め部材と、当該振れ止め部材の一端を押し進め、振れ止め部材が形成する菱形の開き具合をコントロールできるようにするため、当該一端を受け止めるための平坦面を有する振れ止めホルダーと、当該振れ止めホルダーの進退を調整する振れ止めネジと、からなる扉錠の振れ止め装置であって、振れ止めネジを扉錠内で回動可能に一箇所で軸止めできるようにするため、振れ止めネジに二つのフランジ部を設けたことを特徴とする。
【発明の効果】
【００１５】  扉厚が厚く、中の隙間も大きい扉の内部に扉錠を設置する場合であっても、本願発明に係る扉錠の振れ止め装置を使用すれば、扉錠が振れることなく安定的に設置される。【００１６】  また、請求項５から請求項８に係る発明を用いれば、例えば、扉の扉錠埋設位置が偏芯しており、扉錠を扉に埋設した際における扉錠から扉壁までの内外両側の隙間幅がそれぞれ異なる場合であっても、扉錠が振れることなく安定的に設置される。
【発明を実施するための最良の形態】
【００１７】  本発明に係る扉錠の振れ止め装置は、振れ止め部材６と、振れ止めホルダー１３と、振れ止めネジ５からなる。
本発明の実施環境を述べた上で、各構成要件について説明する。【００１８】  先ず、本発明の実施環境について述べる。一般住宅やオフィスの玄関その他の扉７には、防犯を目的として施錠・解錠を行うことのできる扉錠１が装着されているが、本発明は、かかる扉錠の一機構として機能する。
例えば、図１に示すように、扉錠１の下端付近に本願発明に係る扉錠の振れ止め装置を内蔵させるのである。【００１９】  本発明に係る扉錠の振れ止め装置を内蔵させる扉錠１には、錠杆３及びこれを扉７のフロント面２から進退させる（図示しない）錠箱機構部を内設している。【００２０】  次に、構成要素について述べる。【００２１】  第一に、振れ止め部材６について説明する。
図４乃至図９に示す振れ止め部材６は、長さの等しい２つの振れ止め用プレート１０からなる。形状には拘らないが、できれば後述する振れ止めホルダー１３によって奥の方に押された際、その両プレートが開きやすくなるような形状であることが望ましい。両プレート１０は扉錠の内部のある一箇所にて回動可能なように、軸止めされている。この軸止め部分９を支点として両プレート１０が回動することとなる。【００２２】  第二に、振れ止めホルダー１３について説明する。
図４乃至図９に示す振れ止めホルダー１３は、当該振れ止め部材６の一端を押し進め、振れ止め部材６の開き具合をコントロールする部材である。この機能を果たすものであれば、特に形状の如何は問わないが、図４乃至図９に示す振れ止めホルダー１３は、コの字型をしており、その一箇所に、振れ止めネジ５のネジ溝１６に対応したネジ溝付きの穴１４が開けられている。また、振れ止めネジ５を回す際に一緒に回転しないようにするため、回転防止片８が設けられている。回転防止片８は、図４乃至図６に示すように、扉錠１の下端に設けられた切欠１１に沿って動くことになる。【００２３】  第三に、振れ止めネジ５について説明する。
振れ止めネジ５は、振れ止めホルダー１３の進退を制御する。振れ止めネジ５は、振れ止めホルダーの穴１４を貫通しており、ドライバーを用いてネジ５を回すことにより、振れ止めホルダー１３の進退を操作することができる。この振れ止めネジ５は、扉錠のフロント面２のネジ穴から、ネジ頭１７の端面とフロント面２が面一となるように挿入され、回動可能に軸止めされる。
なお、振れ止めネジ５をいちいち着脱していたのでは煩雑なので、図１６にて示すように、押さえ板１２の先端がフランジ１５、１５の間に入るようにして、ネジ５が回動可能なように一箇所で軸支しておくことが望ましい。
【実施例】
【００２４】  図７乃至図９に示す長さの等しい２つの振れ止め用プレート１０からなる振れ止め部材６の代わりに、図１０乃至図１２に示す長さの等しい４つの振れ止め用プレート１０からなる振れ止め部材６を用いた振れ止め装置が考えられる（請求項５から請求項８に係る発明に相当）。【００２５】  具体的には、長さの等しい４つの振れ止めプレート１０を用いて自在に菱形を形成できるように、４箇所で回動可能に軸止めして連結した環状の振れ止め部材を用いる。４箇所のうちの１箇所の軸止め部分９を支点としてプレート１０が回動することとなる。【００２６】  振れ止めホルダー１３の形状は、振れ止め部材６の一端を面で受け止めることができるものであればどのような形状でも構わないが、本実施例に係る振れ止めホルダー１３の形状は、Ｄ字型形状である。【００２７】  このタイプの振れ止め部材６を用いることのメリットは、図１２に示すように、扉錠の両側の隙間幅が異なる場合であっても、菱形の特性を最大限に活かし、その隙間にきちんと対応し、扉錠１が振れないように固定することができるという点である。
【図面の簡単な説明】
【００２８】
【図１】本発明に係る振れ止め装置を内蔵した扉錠の外観図
【図２】扉錠が振れることなく扉に収納されている状態の図
【図３】扉錠が振れてしまっている状態の図
【図４】本発明に係る振れ止め装置を内蔵した扉錠を下から見た図であって、振れ止め部材が完全に閉じている状態の図
【図５】本発明に係る振れ止め装置を内蔵した扉錠を下から見た図であって、振れ止め部材が少し開いている状態の図
【図６】本発明に係る振れ止め装置を内蔵した扉錠を下から見た図であって、振れ止め部材が完全に開いている状態の図
【図７】２つの振れ止めプレートからなる振れ止め部材が完全に閉じている状態の図
【図８】２つの振れ止めプレートからなる振れ止め部材が少し開いている状態の図
【図９】２つの振れ止めプレートからなる振れ止め部材が完全に開いている状態の図
【図１０】４つの振れ止めプレートからなる振れ止め部材が扉錠に収納されている状態の図
【図１１】４つの振れ止めプレートからなる振れ止め部材が開いている状態の図（両側の隙間の幅が等しい場合）
【図１２】４つの振れ止めプレートからなる振れ止め部材が開いている状態の図（両側の隙間の幅に差がある場合）
【図１３】コの字型の振れ振れ止めホルダーの図
【図１４】Ｄ字型の振れ止めホルダーの図
【図１５】フランジ付き振れ止めネジの図
【図１６】本発明に係る振れ止め装置を内蔵した扉錠の内部側面図
【符号の説明】
【００２９】１…扉錠
２…フロント面
３…錠杆
４…錠箱
５…振れ止めネジ
６…振れ止め部材
７…扉
８…回転防止片
９…軸止め部分
１０…振れ止めプレート
１１…切欠
１２…押さえ板
１３…振れ止めホルダー
１４…穴
１５…フランジ
１６…ネジ溝
１７…ネジ頭
１８…受部
【図１】
2006063781.tif 000003
【図２】
2006063781.tif 000004
【図３】
2006063781.tif 000005
【図４】
2006063781.tif 000006
【図５】
2006063781.tif 000007
【図６】
2006063781.tif 000008
【図７】
2006063781.tif 000009
【図８】
2006063781.tif 000010
【図９】
2006063781.tif 000011
【図１０】
2006063781.tif 000012
【図１１】
2006063781.tif 000013
【図１２】
2006063781.tif 000014
【図１３】
2006063781.tif 000015
【図１４】
2006063781.tif 000016
【図１５】
2006063781.tif 000017
【図１６】
2006063781.tif 000018